(57)【特許請求の範囲】
【請求項１】
第１のブリッジ回路を構成する複数の第１のスイッチング素子のスイッチング動作に基づいて、第１の直流電圧を第１の交流電圧に変換して出力する第１のインバータと、
第２のブリッジ回路を構成する複数の第２のスイッチング素子のスイッチング動作に基づいて、第２の直流電圧を、前記第１の交流電圧と同期した第２の交流電圧に変換して出力し、出力が前記第１のインバータの出力と直列に接続された第２のインバータと、を備え、
前記第１のインバータは、
第１のリミッタ値を設定する第１のリミッタ値設定部と、
出力電流が前記第１のリミッタ値に達した場合に、前記第１のスイッチング素子にスイッチング動作させず、前記出力電流が前記第１のリミッタ値未満の場合に、前記第１のスイッチング素子にスイッチング動作させる第１のピークリミッタ回路と、
前記出力電流と前記第１の直流電圧の増加に基づいて、前記第１のリミッタ値を増加させる第１の制御部と、を有し、
前記第２のインバータは、
第２のリミッタ値を設定する第２のリミッタ値設定部と、
前記出力電流が前記第２のリミッタ値に達した場合に、前記第２のスイッチング素子にスイッチング動作させず、前記出力電流が前記第２のリミッタ値未満の場合に、前記第２のスイッチング素子にスイッチング動作させる第２のピークリミッタ回路と、
前記出力電流と前記第２の直流電圧の増加に基づいて、前記第２のリミッタ値を増加させる第２の制御部と、を有する
ことを特徴とする電源装置。
【請求項２】
前記第１のリミッタ値設定部は、正の前記第１のリミッタ値と、負の第３のリミッタ値を設定し、
前記第１のピークリミッタ回路は、前記出力電流が前記第１のリミッタ値または前記第３のリミッタ値に達した場合に、前記第１のスイッチング素子にスイッチング動作させず、前記出力電流が前記第１のリミッタ値未満であり且つ前記第３のリミッタ値より大きい場合に、前記第１のスイッチング素子にスイッチング動作させ、
前記第１の制御部は、前記出力電流と前記第１の直流電圧の増加に基づいて、前記第１のリミッタ値を増加させると共に前記第３のリミッタ値を低下させ、
前記第２のリミッタ値設定部は、正の前記第２のリミッタ値と、負の第４のリミッタ値を設定し、
前記第２のピークリミッタ回路は、前記出力電流が前記第２のリミッタ値または前記第４のリミッタ値に達した場合に、前記第２のスイッチング素子にスイッチング動作させず、前記出力電流が前記第２のリミッタ値未満であり且つ前記第４のリミッタ値より大きい場合に、前記第２のスイッチング素子にスイッチング動作させ、
前記第２の制御部は、前記出力電流と前記第２の直流電圧の増加に基づいて、前記第２のリミッタ値を増加させると共に前記第４のリミッタ値を低下させる
ことを特徴とする請求項１に記載の電源装置。
【請求項３】
前記第１の制御部は、前記出力電流が予め定められた第１の規定電流値以上であり、且つ、前記第１の直流電圧が予め定められた第１の規定電圧値以上である状態が、予め定められた第１の規定時間継続した場合に、前記第１のリミッタ値を増加させると共に前記第３のリミッタ値を低下させ、
前記第２の制御部は、前記出力電流が予め定められた第２の規定電流値以上であり、且つ、前記第２の直流電圧が予め定められた第２の規定電圧値以上である状態が、前記第１の規定時間継続した場合に、前記第２のリミッタ値を増加させると共に前記第４のリミッタ値を低下させる
ことを特徴とする請求項２に記載の電源装置。
【請求項４】
前記第１の規定電流値は、前記第１及び第２のインバータの定格電流値より大きく、前記第１のリミッタ値以下であり、
前記第２の規定電流値は、前記定格電流値より大きく、前記第２のリミッタ値以下である
ことを特徴とする請求項３に記載の電源装置。
【請求項５】
前記第１の制御部は、前記出力電流が前記第１の規定電流値以上であり、且つ、前記第１の直流電圧が前記第１の規定電圧値未満である状態が、予め定められた第２の規定時間継続した場合に、前記第１のリミッタ値を低下させると共に前記第３のリミッタ値を増加させ、
前記第２の制御部は、前記出力電流が前記第２の規定電流値以上であり、且つ、前記第２の直流電圧が前記第２の規定電圧値未満である状態が、前記第２の規定時間継続した場合に、前記第２のリミッタ値を低下させると共に前記第４のリミッタ値を増加させる
ことを特徴とする請求項３又は請求項４に記載の電源装置。
【請求項６】
前記第１の制御部は、前記出力電流が前記第１の規定電流値未満である状態が、予め定められた第３の規定時間継続した場合に、前記第１のリミッタ値を低下させると共に前記第３のリミッタ値を増加させ、
前記第２の制御部は、前記出力電流が前記第２の規定電流値未満である状態が、前記第３の規定時間継続した場合に、前記第２のリミッタ値を低下させると共に前記第４のリミッタ値を増加させる
ことを特徴とする請求項３から請求項５の何れかに記載の電源装置。
【請求項７】
前記第１の制御部は、前記第１及び第３のリミッタ値を、それぞれ予め定められた範囲で変化させ、
前記第２の制御部は、前記第２及び第４のリミッタ値を、それぞれ予め定められた範囲で変化させる
ことを特徴とする請求項３から請求項６の何れかに記載の電源装置。
【請求項８】
前記第１のインバータは、前記出力電流が前記第１のリミッタ値又は前記第３のリミッタ値に達した状態が予め定められた短絡検出時間の間続いた場合、又は、前記第１の直流電圧が予め定められた第１の過電圧検出値以上になった場合に、前記第１及び第２のスイッチング素子をオフにする第１の保護回路を有し、
前記第１の過電圧検出値は、前記第１の規定電圧値より高く、
前記第２のインバータは、前記出力電流が前記第２のリミッタ値又は前記第４のリミッタ値に達した状態が前記短絡検出時間の間続いた場合、又は、前記第２の直流電圧が予め定められた第２の過電圧検出値以上になった場合に、前記第１及び第２のスイッチング素子をオフにする第２の保護回路を有し、
前記第２の過電圧検出値は、前記第２の規定電圧値より高い
ことを特徴とする請求項３から請求項７の何れかに記載の電源装置。
【請求項９】
前記第１のインバータは、前記出力電流を第１の検出電圧に変換する第１の電流電圧変換回路を有し、
前記第１のリミッタ値設定部は、
前記第１の制御部の制御に応じたパルス幅の第１及び第３のＰＷＭ信号を生成する第１のＰＷＭ部と、
前記第１のＰＷＭ信号を平滑して、前記第１のリミッタ値に対応する第１のリファレンス電圧を生成すると共に、前記第３のＰＷＭ信号を平滑して、前記第３のリミッタ値に対応する第３のリファレンス電圧を生成する第１の平滑回路と、を有し、
前記第１のピークリミッタ回路は、前記検出電圧と前記第１及び第３のリファレンス電圧に基づいて、前記出力電流と前記第１及び第３のリミッタ値との関係を判定し、
前記第２のインバータは、前記出力電流を第２の検出電圧に変換する第２の電流電圧変換回路を有し、
前記第２のリミッタ値設定部は、
前記第２の制御部の制御に応じたパルス幅の第２及び第４のＰＷＭ信号を生成する第２のＰＷＭ部と、
前記第２のＰＷＭ信号を平滑して、前記第２のリミッタ値に対応する第２のリファレンス電圧を生成すると共に、前記第４のＰＷＭ信号を平滑して、前記第４のリミッタ値に対応する第４のリファレンス電圧を生成する第２の平滑回路と、を有し、
前記第２のピークリミッタ回路は、前記検出電圧と前記第２及び第４のリファレンス電圧に基づいて、前記出力電流と前記第２及び第４のリミッタ値との関係を判定する
ことを特徴とする請求項３から請求項８の何れかに記載の電源装置。
【発明の詳細な説明】
【技術分野】
【０００１】
本発明は、直列同期運転する２つの単相インバータを備える電源装置に関する。
【背景技術】
【０００２】
直列同期運転する２つの単相インバータ１００Ｘ，２００Ｘを備える電源装置（単相三線式インバータ）が知られている（図４参照）。２つのインバータ１００Ｘ，２００Ｘは、出力が直列接続されており、この出力を除いて互いに電気的に絶縁されている。各インバータ１００Ｘ，２００Ｘはブリッジ回路１１，２１を有しており、各ブリッジ回路１１，２１は、ＰＷＭ信号に基づいてＦＥＴ  Ｑ１１〜Ｑ１４，Ｑ２１〜Ｑ２４がスイッチング動作することにより、１次側に供給された直流電圧Ｖｄｃ１，Ｖｄｃ２を所望の振幅の交流電圧に変換して出力する。この電源装置は、各インバータ１００Ｘ，２００Ｘが出力する交流電圧Ｖａｃ１，Ｖａｃ２の２倍の交流電圧を、出力端子ＯＵＴ１，ＯＵＴ２間から出力電圧Ｖｏｕｔとして出力する。【０００３】
各インバータ１００Ｘ，２００Ｘは、出力電流Ｉｏｕｔが正及び負のリミッタ値に達するとブリッジ回路１１，２１の動作を停止させるピークリミッタ回路１６Ｘ，２６Ｘを有している。２つのインバータ１００Ｘ，２００Ｘのリミッタ値は互いに独立して決定されているが、これらの正のリミッタ値同士が等しく、負のリミッタ値同士が等しければ、出力電流Ｉｏｕｔがリミッタ値に達すると２つのインバータ１００Ｘ，２００Ｘのブリッジ回路１１，２１は動作を停止して、出力電流Ｉｏｕｔの最大値を正のリミッタ値に制限でき、その最小値を負のリミッタ値に制限できる。よって、過大な出力電流Ｉｏｕｔが流れ得る状況でのブリッジ回路１１，２１のＦＥＴ  Ｑ１１〜Ｑ１４，Ｑ２１〜Ｑ２４などの破損を防止できる。【０００４】
また、各インバータ１００Ｘ，２００Ｘは、出力電流Ｉｏｕｔがリミッタ値に達した短絡状態が所定時間（例えば、数秒）続いた場合、又は、１次側の直流電圧Ｖｄｃ１，Ｖｄｃ２が過電圧検出値以上となった場合に、電源装置の保護のために強制的に両方のインバータ１００Ｘ，２００Ｘを停止させる保護回路１８Ｘ，２８Ｘも有している。【０００５】
ところで、電源装置の負荷として、例えば白熱電球などのような起動時に大電流を要する負荷（短絡スタートの負荷）が接続される場合がある。このような負荷に電流供給を開始する瞬間、電源装置の出力端子ＯＵＴ１，ＯＵＴ２間は短絡状態になるので、出力電流Ｉｏｕｔはリミッタ値に達する。ところが、このような負荷は、起動後、上記所定時間以内にインピーダンスが増加するので、出力電流Ｉｏｕｔはリミッタ値に達しないようになる。よって、２つのインバータ１００Ｘ，２００Ｘの正のリミッタ値同士が等しく、負のリミッタ値同士が等しければ、電源装置は、動作を停止せずにこのような負荷に対して電流供給を継続できる。【０００６】
このような電源装置に類似した装置として、特開２００３−０４７２９６号公報に記載のものも知られている。
【発明の概要】
【発明が解決しようとする課題】
【０００７】
しかしながら、回路素子のばらつきなどにより、２つのインバータ１００Ｘ，２００Ｘの正のリミッタ値同士は異なり、負のリミッタ値同士は異なっている場合が多い。図５に示すように、リミッタ値が異なっている場合、起動時に大電流を要する負荷に電流供給を開始する瞬間（時刻ｔ１１）、リミッタ値の絶対値が小さい一方のインバータ（例えばインバータ１００Ｘとする）では、出力電流Ｉｏｕｔがリミッタ値に達することでブリッジ回路１１は動作を停止して、出力電流Ｉｏｕｔの最大値はリミッタ値に制限される。これに対して、リミッタ値の絶対値が大きい他方のインバータ２００Ｘでは、出力電流Ｉｏｕｔがリミッタ値に達しないため、ブリッジ回路２１は動作し続ける。【０００８】
インバータ２００Ｘのブリッジ回路２１が動作し続けることにより、インバータ１００Ｘでは、ブリッジ回路１１のオフとなったＦＥＴ  Ｑ１１〜Ｑ１４の寄生ダイオードＤ１１〜Ｄ１４を介して電流が１次側に流れ、これにより１次側の直流電圧Ｖｄｃ１が上昇する。出力電流Ｉｏｕｔが負になっている間も同様に動作する。【０００９】
このような動作を繰り返すことで、インバータ１００Ｘの１次側の直流電圧Ｖｄｃ１が上昇し、過電圧検出値に達すると（時刻ｔ１２）、インバータ１００Ｘの保護回路１８Ｘは、両方のインバータ１００Ｘ，２００Ｘの動作を停止させる。即ち、出力電圧Ｖｏｕｔ及び出力電流Ｉｏｕｔはゼロになる。従って、起動時に大電流を要する負荷を駆動できない。【００１０】
そこで、本発明は、１次側の直流電圧の過度の上昇を防止した上で、起動時に大電流を要する負荷を駆動できる電源装置を提供することを目的とする。
【課題を解決するための手段】
【００１１】
本発明の一態様に係る電源装置は、
第１のブリッジ回路を構成する複数の第１のスイッチング素子のスイッチング動作に基づいて、第１の直流電圧を第１の交流電圧に変換して出力する第１のインバータと、
第２のブリッジ回路を構成する複数の第２のスイッチング素子のスイッチング動作に基づいて、第２の直流電圧を、前記第１の交流電圧と同期した第２の交流電圧に変換して出力し、出力が前記第１のインバータの出力と直列に接続された第２のインバータと、を備え、
前記第１のインバータは、
第１のリミッタ値を設定する第１のリミッタ値設定部と、
出力電流に応じた値が前記第１のリミッタ値に達した場合に、前記第１のスイッチング素子にスイッチング動作させず、前記出力電流に応じた値が前記第１のリミッタ値未満の場合に、前記第１のスイッチング素子にスイッチング動作させる第１のピークリミッタ回路と、
前記出力電流に応じた値と前記第１の直流電圧の増加に基づいて、前記第１のリミッタ値を増加させる第１の制御部と、を有し、
前記第２のインバータは、
第２のリミッタ値を設定する第２のリミッタ値設定部と、
前記出力電流に応じた値が前記第２のリミッタ値に達した場合に、前記第２のスイッチング素子にスイッチング動作させず、前記出力電流に応じた値が前記第２のリミッタ値未満の場合に、前記第２のスイッチング素子にスイッチング動作させる第２のピークリミッタ回路と、
前記出力電流に応じた値と前記第２の直流電圧の増加に基づいて、前記第２のリミッタ値を増加させる第２の制御部と、を有することを特徴とする。【００１２】
また、前記電源装置において、
前記第１のリミッタ値設定部は、正の前記第１のリミッタ値と、負の第３のリミッタ値を設定し、
前記第１のピークリミッタ回路は、前記出力電流に応じた値が前記第１のリミッタ値または前記第３のリミッタ値に達した場合に、前記第１のスイッチング素子にスイッチング動作させず、前記出力電流に応じた値が前記第１のリミッタ値未満であり且つ前記第３のリミッタ値より大きい場合に、前記第１のスイッチング素子にスイッチング動作させ、
前記第１の制御部は、前記出力電流に応じた値と前記第１の直流電圧の増加に基づいて、前記第１のリミッタ値を増加させると共に前記第３のリミッタ値を低下させ、
前記第２のリミッタ値設定部は、正の前記第２のリミッタ値と、負の第４のリミッタ値を設定し、
前記第２のピークリミッタ回路は、前記出力電流に応じた値が前記第２のリミッタ値または前記第４のリミッタ値に達した場合に、前記第２のスイッチング素子にスイッチング動作させず、前記出力電流に応じた値が前記第２のリミッタ値未満であり且つ前記第４のリミッタ値より大きい場合に、前記第２のスイッチング素子にスイッチング動作させ、
前記第２の制御部は、前記出力電流に応じた値と前記第２の直流電圧の増加に基づいて、前記第２のリミッタ値を増加させると共に前記第４のリミッタ値を低下させてもよい。【００１３】
また、前記電源装置において、
前記第１の制御部は、前記出力電流に応じた値が予め定められた第１の規定電流値以上であり、且つ、前記第１の直流電圧が予め定められた第１の規定電圧値以上である状態が、予め定められた第１の規定時間継続した場合に、前記第１のリミッタ値を増加させると共に前記第３のリミッタ値を低下させ、
前記第２の制御部は、前記出力電流に応じた値が予め定められた第２の規定電流値以上であり、且つ、前記第２の直流電圧が予め定められた第２の規定電圧値以上である状態が、前記第１の規定時間継続した場合に、前記第２のリミッタ値を増加させると共に前記第４のリミッタ値を低下させてもよい。【００１４】
また、前記電源装置において、
前記第１の規定電流値は、前記第１及び第２のインバータの定格電流値より大きく、前記第１のリミッタ値以下であり、
前記第２の規定電流値は、前記定格電流値より大きく、前記第２のリミッタ値以下であってもよい。【００１５】
また、前記電源装置において、
前記第１の制御部は、前記出力電流に応じた値が前記第１の規定電流値以上であり、且つ、前記第１の直流電圧が前記第１の規定電圧値未満である状態が、予め定められた第２の規定時間継続した場合に、前記第１のリミッタ値を低下させると共に前記第３のリミッタ値を増加させ、
前記第２の制御部は、前記出力電流に応じた値が前記第２の規定電流値以上であり、且つ、前記第２の直流電圧が前記第２の規定電圧値未満である状態が、前記第２の規定時間継続した場合に、前記第２のリミッタ値を低下させると共に前記第４のリミッタ値を増加させてもよい。【００１６】
また、前記電源装置において、
前記第１の制御部は、前記出力電流に応じた値が前記第１の規定電流値未満である状態が、予め定められた第３の規定時間継続した場合に、前記第１のリミッタ値を低下させると共に前記第３のリミッタ値を増加させ、
前記第２の制御部は、前記出力電流に応じた値が前記第２の規定電流値未満である状態が、前記第３の規定時間継続した場合に、前記第２のリミッタ値を低下させると共に前記第４のリミッタ値を増加させてもよい。【００１７】
また、前記電源装置において、
前記第１の制御部は、前記第１及び第３のリミッタ値を、それぞれ予め定められた範囲で変化させ、
前記第２の制御部は、前記第２及び第４のリミッタ値を、それぞれ予め定められた範囲で変化させてもよい。【００１８】
また、前記電源装置において、
前記第１のインバータは、前記出力電流に応じた値が前記第１のリミッタ値又は前記第３のリミッタ値に達した状態が予め定められた短絡検出時間の間続いた場合、又は、前記第１の直流電圧が予め定められた第１の過電圧検出値以上になった場合に、前記第１及び第２のスイッチング素子をオフにする第１の保護回路を有し、
前記第１の過電圧検出値は、前記第１の規定電圧値より高く、
前記第２のインバータは、前記出力電流に応じた値が前記第２のリミッタ値又は前記第４のリミッタ値に達した状態が前記短絡検出時間の間続いた場合、又は、前記第２の直流電圧が予め定められた第２の過電圧検出値以上になった場合に、前記第１及び第２のスイッチング素子をオフにする第２の保護回路を有し、
前記第２の過電圧検出値は、前記第２の規定電圧値より高くてもよい。【００１９】
また、前記電源装置において、
前記第１のインバータは、前記出力電流に応じた値を第１の検出電圧に変換する第１の電流電圧変換回路を有し、
前記第１のリミッタ値設定部は、
前記第１の制御部の制御に応じたパルス幅の第１及び第３のＰＷＭ信号を生成する第１のＰＷＭ部と、
前記第１のＰＷＭ信号を平滑して、前記第１のリミッタ値に対応する第１のリファレンス電圧を生成すると共に、前記第３のＰＷＭ信号を平滑して、前記第３のリミッタ値に対応する第３のリファレンス電圧を生成する第１の平滑回路と、を有し、
前記第１のピークリミッタ回路は、前記検出電圧と前記第１及び第３のリファレンス電圧に基づいて、前記出力電流に応じた値と前記第１及び第３のリミッタ値との関係を判定し、
前記第２のインバータは、前記出力電流に応じた値を第２の検出電圧に変換する第２の電流電圧変換回路を有し、
前記第２のリミッタ値設定部は、
前記第２の制御部の制御に応じたパルス幅の第２及び第４のＰＷＭ信号を生成する第２のＰＷＭ部と、
前記第２のＰＷＭ信号を平滑して、前記第２のリミッタ値に対応する第２のリファレンス電圧を生成すると共に、前記第４のＰＷＭ信号を平滑して、前記第４のリミッタ値に対応する第４のリファレンス電圧を生成する第２の平滑回路と、を有し、
前記第２のピークリミッタ回路は、前記検出電圧と前記第２及び第４のリファレンス電圧に基づいて、前記出力電流に応じた値と前記第２及び第４のリミッタ値との関係を判定してもよい。
【発明の効果】
【００２０】
本発明によれば、第１及び第２のインバータの第１及び第２の制御部は、それぞれ、出力電流に応じた値及び対応する直流電圧の増加に基づいて、対応するリミッタ値を増加させるようにしている。【００２１】
これにより、例えば、第１のインバータの第１のリミッタ値が第２のインバータの第２のリミッタ値より小さい場合、起動時に大電流を要する負荷に電流供給を開始した後、出力電流に応じた値が第１のリミッタ値に達して、第１のスイッチング素子がスイッチング動作を停止してオフになる。この時、第２のスイッチング素子がオンしていることで第１の直流電圧が増加するので、第１の制御部は第１のリミッタ値を増加させる。これにより第１のリミッタ値が第２のリミッタ値より大きくなると、第１のスイッチング素子は再度スイッチング動作を開始するので、オンした第１のスイッチング素子に電流が流れることで、１次側の第１の直流電圧は低下する。【００２２】
従って、１次側の直流電圧の過度の上昇を防止した上で、起動時に大電流を要する負荷を駆動できる。
【図面の簡単な説明】
【００２３】
【図１】本発明の一実施形態に係る電源装置の構成を示すブロック図である。
【図２】本発明の一実施形態に係る電源装置の出力電流と第１の直流電圧を示す波形図である。
【図３】図１の第１及び第２のリミッタ値設定部と、第１及び第２のピークリミッタ回路の回路構成の一例を示す図である。
【図４】従来の電源装置の構成を示すブロック図である。
【図５】従来の電源装置の出力電流と第１の直流電圧を示す波形図である。
【発明を実施するための形態】
【００２４】
以下に、図面を参照して本発明の一実施形態について説明する。この実施形態は、本発明を限定するものではない。
【００２５】
図１は、本発明の一実施形態に係る電源装置の構成を示すブロック図である。図１に示すように、電源装置は、第１のインバータ１００と、第２のインバータ２００と、を備える。
【００２６】
第１及び第２のインバータ１００，２００間は通信線１で接続されており、この通信線１を介して、互いを同期運転するための制御信号や同期信号が伝達される。第１のインバータ１００はマスターとして動作し、第２のインバータ２００はスレーブとして動作する。
【００２７】
第１のインバータ１００の入力端子Ｉ１，Ｉ２間と、第２のインバータ２００の入力端子Ｉ３，Ｉ４間には、それぞれ直流電力が供給される。例えば、図示しないエンジン発電機で発電された交流電力を直流電力に変換して、変換された直流電力を第１のインバータ１００と第２のインバータ２００に供給してもよい。
【００２８】
第１のインバータ１００は、第１のブリッジ回路１１を構成する４つの第１のスイッチング素子Ｑ１１〜Ｑ１４のスイッチング動作に基づいて、入力端子Ｉ１，Ｉ２間の第１の直流電圧Ｖｄｃ１を第１の交流電圧Ｖａｃ１に変換して出力端子Ｏ１，Ｏ２間から出力する。
【００２９】
第２のインバータ２００は、第２のブリッジ回路２１を構成する４つの第２のスイッチング素子Ｑ２１〜Ｑ２４のスイッチング動作に基づいて、入力端子Ｉ１，Ｉ２間の第２の直流電圧Ｖｄｃ２を、第１の交流電圧Ｖａｃ１と同期した第２の交流電圧Ｖａｃ２に変換して出力端子Ｏ３，Ｏ４間から出力する。
【００３０】
第２のインバータ２００の出力は、第１のインバータ１００の出力と直列に接続されている。つまり、第１のインバータ１００の出力端子Ｏ２と第２のインバータ２００の出力端子Ｏ３は接続され、第１のインバータ１００の出力端子Ｏ１は交流出力端子ＯＵＴ１に接続され、第２のインバータ２００の出力端子Ｏ４は交流出力端子ＯＵＴ２に接続されている。この電源装置は、各インバータ１００，２００が出力する交流電圧Ｖａｃ１，Ｖａｃ２の２倍の交流電圧を、出力端子ＯＵＴ１，ＯＵＴ２間から出力電圧Ｖｏｕｔとして出力する。
【００３１】
次に、第１及び第２のインバータ１００，２００の構成について説明する。
【００３２】
第１のインバータ１００は、第１の入力キャパシタＣｉｎ１と、第１のブリッジ回路１１と、第１のフィルタ１２と、第１の駆動回路１３と、第１の電流電圧変換回路１４と、第１のリミッタ値設定部１５と、第１のピークリミッタ回路１６と、第１の制御部１７と、第１の保護回路１８と、を有する。
【００３３】
第１の入力キャパシタＣｉｎ１は、入力端子Ｉ１，Ｉ２間に接続されている。
【００３４】
第１のブリッジ回路１１は、フルブリッジ回路であり、Ｎ型ＭＯＳＦＥＴである４つの第１のスイッチング素子Ｑ１１〜Ｑ１４と、４つの寄生ダイオードＤ１１〜Ｄ１４とを有する。第１のスイッチング素子Ｑ１１，Ｑ１３は、入力端子Ｉ１，Ｉ２間に直列に接続されている。第１のスイッチング素子Ｑ１２，Ｑ１４も、入力端子Ｉ１，Ｉ２間に直列に接続されている。各寄生ダイオードＤ１１〜Ｄ１４は、対応する第１のスイッチング素子Ｑ１１〜Ｑ１４のソースにアノードが接続され、対応する第１のスイッチング素子Ｑ１１〜Ｑ１４のドレインにカソードが接続されている。
【００３５】
第１のスイッチング素子Ｑ１１のソースと第１のスイッチング素子Ｑ１３のドレインの接続点は、第１のフィルタ１２を介して出力端子Ｏ２に接続されている。
【００３６】
第１のスイッチング素子Ｑ１２のソースと第１のスイッチング素子Ｑ１４のドレインの接続点は、第１のフィルタ１２を介して出力端子Ｏ１に接続されている。
【００３７】
第１のフィルタ１２は、例えばインダクタとキャパシタで構成され、第１のブリッジ回路１１の出力電圧から高調波を除去して正弦波に近い第１の交流電圧Ｖａｃ１を得るためのものである。
【００３８】
第１の駆動回路１３は、第１の交流電圧Ｖａｃ１が所望の値になるように、パルス幅変調された第１の駆動信号を第１のスイッチング素子Ｑ１１〜Ｑ１４のゲートに出力する。第１のスイッチング素子Ｑ１１〜Ｑ１４は、第１の駆動信号に応じてスイッチング動作する。
【００３９】
また、第１の駆動回路１３は、第１の交流電圧Ｖａｃ１と第２の交流電圧Ｖａｃ２を同期させるための同期信号を出力する。この同期信号は、通信線１を介して第２のインバータ２００の第２の駆動回路２３に供給される。
【００４０】
第１の電流電圧変換回路１４は、出力端子Ｏ２に流れる出力電流Ｉｏｕｔを第１の検出電圧Ｖｄｅｔ１に変換する。以下、出力電流Ｉｏｕｔに代えて、出力電流Ｉｏｕｔに応じた値を用いてもよい。
【００４１】
第１及び第２のインバータ１００，２００は出力が直列接続されているので、出力電流Ｉｏｕｔは、各出力端子Ｏ１〜Ｏ４に流れる。
【００４２】
第１のリミッタ値設定部１５は、正の第１のリミッタ値と、負の第３のリミッタ値を設定する。本実施形態では、第１のリミッタ値設定部１５は、第１のリミッタ値に対応する第１のリファレンス電圧ＲＥＦ１と、第３のリミッタ値に対応する第３のリファレンス電圧ＲＥＦ３を生成する。
【００４３】
第１のピークリミッタ回路１６は、出力電流Ｉｏｕｔと第１及び第３のリミッタ値との関係に応じて第１の駆動回路１３を制御することにより、第１のスイッチング素子Ｑ１１〜Ｑ１４にスイッチング動作させるか否かを制御する。
【００４４】
第１のピークリミッタ回路１６は、出力電流Ｉｏｕｔが第１のリミッタ値または第３のリミッタ値に達した場合に、第１のスイッチング素子Ｑ１１〜Ｑ１４にスイッチング動作させず、第１のスイッチング素子Ｑ１１〜Ｑ１４を全てオフにする。第１のピークリミッタ回路１６は、一方、出力電流Ｉｏｕｔが第１のリミッタ値未満であり且つ第３のリミッタ値より大きい場合に、第１のスイッチング素子Ｑ１１〜Ｑ１４にスイッチング動作させる。
【００４５】
本実施形態では、第１のピークリミッタ回路１６は、第１の検出電圧Ｖｄｅｔ１と第１及び第３のリファレンス電圧ＲＥＦ１，ＲＥＦ３に基づいて、出力電流Ｉｏｕｔと第１及び第３のリミッタ値との関係を判定する。
【００４６】
第１の制御部１７は、第１の検出電圧Ｖｄｅｔ１と第１の直流電圧Ｖｄｃ１が入力され、出力電流Ｉｏｕｔと第１の直流電圧Ｖｄｃ１の増加に基づいて、第１のリミッタ値設定部１５に、第１のリミッタ値を増加させると共に第３のリミッタ値を低下させる。第１の制御部１７は、第１及び第３のリミッタ値を、それぞれ予め定められた範囲（例えば±数Ａ）で変化させる。即ち、第１及び第３のリミッタ値は、それぞれ上限値と下限値を有する。第１の制御部１７の詳細な動作は、第２のインバータ２００の第２の制御部２７の詳細な動作と共に後述する。
【００４７】
第１の保護回路１８は、第１のピークリミッタ回路１６の出力信号と第１の直流電圧Ｖｄｃ１が入力され、出力電流Ｉｏｕｔが第１又は第３のリミッタ値に達した状態が予め定められた短絡検出時間（例えば数秒）の間続いた場合、又は、第１の直流電圧Ｖｄｃ１が予め定められた第１の過電圧検出値以上になった場合に、第１の駆動回路１３および第２のインバータ２００の第２の駆動回路２３の動作を停止させる。これにより、第１の保護回路１８は、第１及び第２のスイッチング素子Ｑ１１〜Ｑ１４，Ｑ２１〜Ｑ２４を全てオフにして、スイッチング動作させない。第１の過電圧検出値は、第１の規定電圧値より高い。 
第２のインバータ２００の基本的な構成は、第１のインバータ１００と同様である。
【００４８】
即ち、第２のインバータ２００は、第２の入力キャパシタＣｉｎ２と、第２のブリッジ回路２１と、第２のフィルタ２２と、第２の駆動回路２３と、第２の電流電圧変換回路２４と、第２のリミッタ値設定部２５と、第２のピークリミッタ回路２６と、第２の制御部２７と、第２の保護回路２８と、を有する。
【００４９】
第２の入力キャパシタＣｉｎ２は、入力端子Ｉ３，Ｉ４間に接続されている。
【００５０】
第２のブリッジ回路２１は、フルブリッジ回路であり、Ｎ型ＭＯＳＦＥＴである４つの第２のスイッチング素子Ｑ２１〜Ｑ２４と、４つの寄生ダイオードＤ２１〜Ｄ２４とを有する。第２のスイッチング素子Ｑ２１，Ｑ２３は、入力端子Ｉ３，Ｉ４間に直列に接続されている。第２のスイッチング素子Ｑ２２，Ｑ２４も、入力端子Ｉ３，Ｉ４間に直列に接続されている。各寄生ダイオードＤ２１〜Ｄ２４は、対応する第２のスイッチング素子Ｑ２１〜Ｑ２４のソースにアノードが接続され、対応する第２のスイッチング素子Ｑ２１〜Ｑ２４のドレインにカソードが接続されている。
【００５１】
第２のスイッチング素子Ｑ２１のソースと第２のスイッチング素子Ｑ２３のドレインの接続点は、第２のフィルタ２２を介して出力端子Ｏ３に接続されている。
【００５２】
第２のスイッチング素子Ｑ２２のソースと第２のスイッチング素子Ｑ２４のドレインの接続点は、第２のフィルタ２２を介して出力端子Ｏ４に接続されている。
【００５３】
第２のフィルタ２２は、第１のフィルタ１２と同じ機能を有する。
【００５４】
第２の駆動回路２３は、第２の交流電圧Ｖａｃ２が所望の値になるように、パルス幅変調された第２の駆動信号を第２のスイッチング素子Ｑ２１〜Ｑ２４のゲートに出力する。第２のスイッチング素子Ｑ２１〜Ｑ２４は、第２の駆動信号に応じてスイッチング動作する。この時、第２の駆動回路２３は、第１の駆動回路１３から通信線１を介して供給された同期信号に基づいて、第１の駆動信号と同期した第２の駆動信号を出力する。
【００５５】
第２の電流電圧変換回路２４は、出力端子Ｏ４に流れる出力電流Ｉｏｕｔを第２の検出電圧Ｖｄｅｔ２に変換する。
【００５６】
第２のリミッタ値設定部２５は、正の第２のリミッタ値と、負の第４のリミッタ値を設定する。本実施形態では、第２のリミッタ値に対応する第２のリファレンス電圧ＲＥＦ２と、第４のリミッタ値に対応する第４のリファレンス電圧ＲＥＦ４を生成する。
【００５７】
第２のピークリミッタ回路２６は、出力電流Ｉｏｕｔと第２及び第４のリミッタ値との関係に応じて第２の駆動回路２３を制御することにより、第２のスイッチング素子Ｑ２１〜Ｑ２４にスイッチング動作させるか否かを制御する。
【００５８】
第２のピークリミッタ回路２６は、出力電流Ｉｏｕｔが第２のリミッタ値または第４のリミッタ値に達した場合に、第２のスイッチング素子Ｑ２１〜Ｑ２４にスイッチング動作させず、第２のスイッチング素子Ｑ２１〜Ｑ２４を全てオフにする。第２のピークリミッタ回路２６は、一方、出力電流Ｉｏｕｔが第２のリミッタ値未満であり且つ第４のリミッタ値より大きい場合に、第２のスイッチング素子Ｑ２１〜Ｑ２４にスイッチング動作させる。
【００５９】
本実施形態では、第２のピークリミッタ回路２６は、第２の検出電圧Ｖｄｅｔ２と第２及び第４のリファレンス電圧ＲＥＦ２，ＲＥＦ４に基づいて、出力電流Ｉｏｕｔと第２及び第４のリミッタ値との関係を判定する。
【００６０】
第２の制御部２７は、第２の検出電圧Ｖｄｅｔ２と第２の直流電圧Ｖｄｃ２が入力され、出力電流Ｉｏｕｔと第２の直流電圧Ｖｄｃ２の増加に基づいて、第２のリミッタ値設定部２５に、第２のリミッタ値を増加させると共に第４のリミッタ値を低下させる。
【００６１】
第２の制御部２７は、第２及び第４のリミッタ値を、それぞれ予め定められた範囲で変化させる。即ち、第２及び第４のリミッタ値は、それぞれ上限値と下限値を有する。
【００６２】
第２の保護回路２８は、第２のピークリミッタ回路２６の出力信号と第２の直流電圧Ｖｄｃ２が入力され、出力電流Ｉｏｕｔが第２又は第４のリミッタ値に達した状態が予め定められた短絡検出時間の間続いた場合、又は、第２の直流電圧Ｖｄｃ２が予め定められた第２の過電圧検出値以上になった場合に、第２の駆動回路２３および第１のインバータ１００の第１の駆動回路１３の動作を停止させる。これにより、第２の保護回路２８は、第１及び第２のスイッチング素子Ｑ１１〜Ｑ１４，Ｑ２１〜Ｑ２４を全てオフにして、スイッチング動作させない。第２の過電圧検出値は、第２の規定電圧値より高い。
【００６３】
次に、図２を参照して、電源装置の動作を、第１及び第２の制御部１７，２７のより詳しい動作と共に説明する。
【００６４】
図２は、本発明の一実施形態に係る電源装置の出力電流Ｉｏｕｔと第１の直流電圧Ｖｄｃ１を示す波形図である。図２は、例えば白熱電球などのような、起動時に大電流を要する負荷が電源装置に接続された場合の波形図である。また、図２は、初期状態において、回路素子のばらつきなどに起因して、正の第１のリミッタ値は、正の第２のリミッタ値より小さく、負の第３のリミッタ値は、負の第４のリミッタ値より大きい場合の波形図である。
【００６５】
図示する例では、時刻ｔ１において、起動時に大電流を要する負荷に電流供給を開始した時、電源装置の出力端子ＯＵＴ１，ＯＵＴ２間は短絡状態になる。従って、時刻ｔ１以降、第１のインバータ１００では、出力電流Ｉｏｕｔが第１又は第３のリミッタ値に達した時に第１のスイッチング素子Ｑ１１〜Ｑ１４はオフになり、出力電流Ｉｏｕｔの最大値は第１のリミッタ値に制限され、その最小値は第３のリミッタ値に制限される。
【００６６】
このように第１のインバータ１００によって出力電流Ｉｏｕｔが制限されることで、第２のインバータ２００では、出力電流Ｉｏｕｔが第２及び第４のリミッタ値に達しないため、通常動作時と同様に、時刻ｔ１以降も第２のスイッチング素子Ｑ２１〜Ｑ２４はスイッチング動作し続ける。
【００６７】
第２のスイッチング素子Ｑ２１〜Ｑ２４がスイッチング動作し続けることにより、第１のインバータ１００では、寄生ダイオードＤ１１〜Ｄ１４を介して電流が１次側に流れ、これにより１次側の第１の直流電圧Ｖｄｃ１が徐々に上昇する。
【００６８】
ここで、第１の制御部１７は、出力電流Ｉｏｕｔが予め定められた第１の規定電流値以上であり、且つ、第１の直流電圧Ｖｄｃ１が予め定められた第１の規定電圧値以上である状態が、予め定められた第１の規定時間継続した場合に、第１のリミッタ値を一定値増加させると共に第３のリミッタ値を一定値低下させるように構成されている。第１の規定電流値は、第１及び第２のインバータの定格電流値より大きく、第１のリミッタ値以下である。
【００６９】
図示した例では、時刻ｔ２において上記条件が満たされるので、第１の制御部１７が第１のリミッタ値を一定値増加させると共に第３のリミッタ値を一定値低下させる。これにより、第１のリミッタ値が第２のリミッタ値より大きくなり、第３のリミッタ値が第４のリミッタ値より小さくなると、第１のスイッチング素子Ｑ１１〜Ｑ１４は再度スイッチング動作を開始する。従って、オンした第１のスイッチング素子に電流が流れることで、１次側の第１の直流電圧Ｖｄｃ１は、上昇に要した時間より短時間で低下して、初期状態の電圧に戻る。
【００７０】
一方、時刻ｔ２以降、第２のインバータ２００において、出力電流Ｉｏｕｔが第２及び第４のリミッタ値に達することで第２のスイッチング素子Ｑ２１〜Ｑ２４はオフになり、出力電流Ｉｏｕｔの最大値は第２のリミッタ値に制限され、その最小値は第４のリミッタ値に制限される。
【００７１】
図示は省略するが、これにより、第２のインバータ２００では、寄生ダイオードＤ２１〜Ｄ２４を介して電流が１次側に流れ、第２の直流電圧Ｖｄｃ２が徐々に上昇する。
【００７２】
第２の制御部２７は、出力電流Ｉｏｕｔが予め定められた第２の規定電流値以上であり、且つ、第２の直流電圧Ｖｄｃ２が予め定められた第２の規定電圧値以上である状態が、第１の規定時間継続した場合に、第２のリミッタ値を一定値増加させると共に第４のリミッタ値を一定値低下させるように構成されている。
【００７３】
第２の規定電流値は、定格電流値より大きく、第２のリミッタ値以下である。第２の規定電流値は第１の規定電流値と等しくてもよい。第１及び第２の規定電流値は、例えば、定格電流値の２倍以上でもよい。
【００７４】
第２のリミッタ値が増加して第４のリミッタ値が低下することにより、再び第２のリミッタ値が第１のリミッタ値より大きくなり、第４のリミッタ値が第３のリミッタ値より小さくなると、第２のスイッチング素子Ｑ２１〜Ｑ２４は再度スイッチング動作を開始するので、第２の直流電圧Ｖｄｃ２は短時間で低下する。
【００７５】
このような動作を繰り返すことで、第１の直流電圧Ｖｄｃ１が第１の過電圧検出値に達することは無く、第２の直流電圧Ｖｄｃ２が第２の過電圧検出値に達することも無いため、第１及び第２の保護回路１８，２８が第１及び第２のインバータ１００，２００の動作を停止させる恐れは無い。
【００７６】
このような負荷は、起動後、短絡検出時間以内にインピーダンスが増加するので、出力電流Ｉｏｕｔは、定格電流未満に減少して、第１から第４のリミッタ値に達しないようになる。即ち、出力端子ＯＵＴ１，ＯＵＴ２間の短絡状態は解消され、電源装置は、通常動作によって、このような負荷に対して電流供給を継続できる。
【００７７】
従って本実施形態によれば、回路素子のばらつき、又は、温度変化や経年変化等の環境変化により、第１及び第３のリミッタ値が異なり、且つ、第２及び第４のリミッタ値が異なっている場合であっても、１次側の第１及び第２の直流電圧Ｖｄｃ１，Ｖｄｃ２の過度の上昇を防止した上で、起動時に大電流を要する負荷を駆動できる。
【００７８】
なお、第１の制御部１７は、出力電流Ｉｏｕｔが第１の規定電流値以上であり、且つ、第１の直流電圧Ｖｄｃ１が第１の規定電圧値未満である状態が、予め定められた第２の規定時間継続した場合に、第１のリミッタ値を一定値低下させると共に第３のリミッタ値を一定値増加させるようにしてもよい。
【００７９】
同様に第２の制御部２７は、出力電流Ｉｏｕｔが第２の規定電流値以上であり、且つ、第２の直流電圧Ｖｄｃ２が第２の規定電圧値未満である状態が、第２の規定時間継続した場合に、第２のリミッタ値を一定値低下させると共に第４のリミッタ値を一定値増加させるようにしてもよい。
【００８０】
この場合、第１及び第２の規定時間を調整することで、短絡状態の間に、第１及び第２のリミッタ値が増加し続けず、第３及び第４のリミッタ値が減少し続けないようにできる。
【００８１】
さらに、第１の制御部１７は、出力電流Ｉｏｕｔが第１の規定電流値未満である状態が、予め定められた第３の規定時間継続した場合に、第１のリミッタ値を一定値低下させると共に第３のリミッタ値を一定値増加させるようにしてもよい。
【００８２】
同様に第２の制御部２７は、出力電流Ｉｏｕｔが第２の規定電流値未満である状態が、第３の規定時間継続した場合に、第２のリミッタ値を一定値低下させると共に第４のリミッタ値を一定値増加させるようにしてもよい。
【００８３】
この場合、起動時に大電流を要する負荷を駆動して短絡状態になったことにより、第１及び第２のリミッタ値が初期状態の値より大きくなり、第３及び第４のリミッタ値が初期状態の値より小さくなってしまっても、出力電流Ｉｏｕｔが第１及び第２の規定電流値未満である通常動作が継続することにより、第１及び第２のリミッタ値を下限値まで低下させ、第３及び第４のリミッタ値を上限値まで上昇させることができる。従って、再度、起動時に大電流を要する負荷を駆動する際に、第１から第４のリミッタ値を調整できる範囲が広がる。
【００８４】
なお、上記第１から第３の規定時間は、同じ時間に設定してもよく、互いに異なる時間に設定してもよい。
【００８５】
ところで、このような起動時に大電流を要する負荷が接続されておらず、電源装置の出力端子ＯＵＴ１，ＯＵＴ２間が実際に短絡した場合であっても、上述のように動作する。しかし、この場合、第１又は第２の保護回路１８，２８は、短絡状態が短絡検出時間続いた場合に、第１及び第２の駆動回路１３，２３の動作を停止させる。即ちこの場合、従来の電源装置と同様に、電源装置自体の動作を停止させて出力電圧Ｖｏｕｔ及び出力電流Ｉｏｕｔが出力されないようにできるため、安全性を確保できる。
【００８６】
（回路構成の具体例）
上述した第１及び第２のリミッタ値設定部１５，２５と、第１及び第２のピークリミッタ回路１６，２６は、例えば、以下のように構成してもよい。
【００８７】
図３は、図１の第１及び第２のリミッタ値設定部１５，２５と、第１及び第２のピークリミッタ回路１６，２６の回路構成の一例を示す図である。
【００８８】
図３に示すように、第１のリミッタ値設定部１５は、第１のＰＷＭ部１５ａと、第１の平滑回路１５ｂと、を有する。
【００８９】
第１のＰＷＭ部１５ａは、第１の制御部１７の制御に応じたパルス幅の第１及び第３のＰＷＭ信号Ｓ１，Ｓ３を生成する。第１のＰＷＭ部１５ａは、例えば、マイコン等を用いて構成できる。
【００９０】
第１の平滑回路１５ｂは、抵抗Ｒ１とキャパシタＣ１から構成されたローパスフィルタにより、第１のＰＷＭ信号Ｓ１を平滑して、第１のリミッタ値に対応する第１のリファレンス電圧ＲＥＦ１を生成する。また第１の平滑回路１５ｂは、抵抗Ｒ２とキャパシタＣ２から構成されたローパスフィルタにより、第３のＰＷＭ信号Ｓ３を平滑して、第３のリミッタ値に対応する第３のリファレンス電圧ＲＥＦ３を生成する。
【００９１】
第１のピークリミッタ回路１６は、第１のリファレンス電圧ＲＥＦ１が非反転入力端子に入力され、第１の検出電圧Ｖｄｅｔ１が反転入力端子に入力される比較器１６ａと、第３のリファレンス電圧ＲＥＦ３が反転入力端子に入力され、第１の検出電圧Ｖｄｅｔ１が非反転入力端子に入力される比較器１６ｂと、を有する。比較器１６ａ，１６ｂの出力端子は、第１の駆動回路１３及び第１の保護回路１８に接続されている。これら比較器１６ａ，１６ｂにより、第１のピークリミッタ回路１６は、第１の検出電圧Ｖｄｅｔ１と第１及び第３のリファレンス電圧ＲＥＦ１，ＲＥＦ３に基づいて、出力電流Ｉｏｕｔと第１及び第３のリミッタ値との関係を判定する。
【００９２】
また、第２のリミッタ値設定部２５は、第２のＰＷＭ部２５ａと、第２の平滑回路２５ｂと、を有する。
【００９３】
第２のＰＷＭ部２５ａは、第２の制御部２７の制御に応じたパルス幅の第２及び第４のＰＷＭ信号Ｓ２，Ｓ４を生成する。第２のＰＷＭ部２５ａも、例えば、マイコン等を用いて構成できる。
【００９４】
第２の平滑回路２５ｂは、抵抗Ｒ３とキャパシタＣ３から構成されたローパスフィルタにより、第２のＰＷＭ信号Ｓ２を平滑して、第２のリミッタ値に対応する第２のリファレンス電圧ＲＥＦ２を生成する。また第２の平滑回路２５ｂは、抵抗Ｒ４とキャパシタＣ４から構成されたローパスフィルタにより、第４のＰＷＭ信号Ｓ４を平滑して、第４のリミッタ値に対応する第４のリファレンス電圧ＲＥＦ４を生成する。
【００９５】
第２のピークリミッタ回路２６は、第２のリファレンス電圧ＲＥＦ２が非反転入力端子に入力され、第２の検出電圧Ｖｄｅｔ２が反転入力端子に入力される比較器２６ａと、第４のリファレンス電圧ＲＥＦ４が反転入力端子に入力され、第２の検出電圧Ｖｄｅｔ２が非反転入力端子に入力される比較器２６ｂと、を有する。比較器２６ａ，２６ｂの出力端子は、第２の駆動回路２３及び第２の保護回路２８に接続されている。これら比較器２６ａ，２６ｂにより、第２のピークリミッタ回路２６は、第２の検出電圧Ｖｄｅｔ２と第２及び第４のリファレンス電圧ＲＥＦ２，ＲＥＦ４に基づいて、出力電流Ｉｏｕｔと第２及び第４のリミッタ値との関係を判定する。
【００９６】
このような回路構成によって、図１の構成と同様の効果が得られる。
【００９７】
（変形例）
例えば、第１及び第２のリミッタ値設定部１５，２５は、第１及び第２の制御部１７，２７の制御に応じた第１〜第４のリファレンス電圧ＲＥＦ１〜ＲＥＦ４を生成できればよく、Ｄ／Ａ変換器などを用いてもよい。
【００９８】
また、第１及び第２のスイッチング素子Ｑ１１〜Ｑ１４，Ｑ２１〜Ｑ２４として、ＩＧＢＴなど、寄生ダイオードを有している他のスイッチング素子を用いても良い。
【００９９】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【０１００】
Ｃｉｎ１  第１の入力キャパシタ
１１  第１のブリッジ回路
１２  第１のフィルタ
１３  第１の駆動回路
１４  第１の電流電圧変換回路
１５  第１のリミッタ値設定部
１５ａ  第１のＰＷＭ部
１５ｂ  第１の平滑回路
１６  第１のピークリミッタ回路
１７  第１の制御部
１８  第１の保護回路
１００  第１のインバータ
Ｃｉｎ２  第２の入力キャパシタ
２１  第２のブリッジ回路
２２  第２のフィルタ
２３  第２の駆動回路
２４  第２の電流電圧変換回路
２５  第２のリミッタ値設定部
２５ａ  第２のＰＷＭ部
２５ｂ  第２の平滑回路
２６  第２のピークリミッタ回路
２７  第２の制御部
２８  第２の保護回路
２００  第２のインバータ
【図１】
0005882536.tif 000002
【図２】
0005882536.tif 000003
【図３】
0005882536.tif 000004
【図４】
0005882536.tif 000005
【図５】
0005882536.tif 000006